(57)【要約】【課題】  従来のパチンコ機では、図柄を見やすくするために図柄を大形化すると遊技領域における球の飛び交う領域が少なくなるというように、図柄表示装置の図柄の大形化と遊技領域における球の飛び交う領域の確保との両立が難しい。【解決手段】  遊技盤３のガイドレールで囲まれた内側の遊技領域１５に飾り部品２０を備え、飾り部品２０が、遊技盤３の前面１９に取付けられた取付基盤４０と、取付基盤４０に設けられた３個の図柄視認部５５；５６；５７とを備え、３個の図柄視認部が上下左右に互いに離れて形成され、図柄視認部が、取付基盤に形成された図柄視認孔４８；４９；５０と、図柄視認孔の周囲から遊技領域の前方に突出して図柄視認孔を個別に囲む隔壁５１；５２；５３とで形成され、図柄表示装置（遊技回転表示装置３５）が、図柄視認孔の前方から図柄視認孔を通して図柄を視認可能なように図柄視認孔の後方に配置されたことを特徴とする。【選択図】図１
2006296904.tif 000002
【特許請求の範囲】
【請求項１】
遊技盤のガイドレールで囲まれた内側の遊技領域に飾り部品を備え、飾り部品が、遊技盤の前面に取付けられた取付基盤と、取付基盤に設けられた３個の図柄視認部とを備え、３個の図柄視認部が上下左右に互いに離れて形成され、図柄視認部が、取付基盤に形成された図柄視認孔と、図柄視認孔の周囲から遊技領域の前方に突出して図柄視認孔を個別に囲む隔壁とで形成され、図柄表示装置が、図柄視認孔の前方から図柄視認孔を通して図柄を視認可能なように図柄視認孔の後方に配置されたことを特徴とするパチンコ機。
【請求項２】
隣り合う図柄視認部の隔壁と隔壁との間の間隔が球の通過可能な間隔に設定されたことを特徴とする請求項１に記載のパチンコ機。
【請求項３】
遊技領域の前方から見た場合において、３個の図柄視認部が、取付基盤の中央上方に設けられた中央上部の図柄視認部、取付基盤の左下方に設けられた左下部の図柄視認部、取付基盤の右下方に設けられた右下部の図柄視認部であり、それぞれの図柄視認部の図柄視認孔の中心がこれら中心同士を繋いで形成される三角形の頂点に位置されたことを特徴とする請求項１又は請求項２に記載のパチンコ機。
【請求項４】
飾り部品が、左下部の図柄視認部と右下部の図柄視認部との間に球通路形成体を備え、球通路形成体の出口が遊技盤の前面に取り付けられた始動入賞部品の入口の真上に設けられたことを特徴とする請求項３に記載のパチンコ機。
【請求項５】
球通路形成体が、取付基盤の前面に設けられた前通路形成体と取付基盤の裏面に設けられた裏通路形成体とで形成され、前通路形成体が、遊技領域と連接した球取込路と球取込路と連接した前上部球踊部と前上部球踊部と連接して取付基盤に形成された球取込孔とを備え、裏通路形成体が、球取込孔と連接した導入路と導入路と連接した裏下部球踊部と裏下部球踊部と球通路形成体の出口とを連接する誘導路とを備え、球取込路が左右の図柄視認部の隔壁の外面により形成され、前上部球踊部が球取込路を形成する左右の図柄視認部の隔壁の外面と連接して左右の図柄視認部の間に設けられたことを特徴とする請求項４に記載のパチンコ機。
【請求項６】
図柄表示装置が、図柄支持体を有する球体とこの球体を自転及び公転させる回転駆動機構とを備えた遊技回転表示装置であることを特徴とする請求項１に記載のパチンコ機。
【発明の詳細な説明】
【技術分野】
【０００１】
本発明は、図柄表示装置の図柄の大形化による見やすさと遊技領域における球の飛び交う領域の確保とを両立できるパチンコ機に関する。
【背景技術】
【０００２】
遊技盤のガイドレールで囲まれた内側の遊技領域に飾り部品が設けられ、飾り部品の裏側に図柄表示装置が設けられたパチンコ機が知られている（例えば、特許文献１参照）。飾り部品には、パチンコ機の前方に位置する遊技者から見て横一列に並ぶ３つの図柄視認部が互いに間隔を隔てて設けられる。従って、遊技者は、遊技盤の裏側に配置された図柄表示装置の図柄をパチンコ機の前方から図柄視認部を通して見ることができる。ところで、最近は、図柄表示装置の図柄を見やすくするため図柄を大形化する傾向があり、この図柄の大形化に伴って飾り部品の図柄視認部も大きくなり、飾り部品も大形化する傾向にある。しかしながら、飾り部品を大形化することによって、飾り部品が遊技領域を占有する面積は大きくなり、遊技領域における球の飛び交う領域を小さくしてしまうことになる。上述した横一列の３つの図柄視認部を備えた飾り部品の場合、図柄を大形化して飾り部品を大形化すると飾り部品の左右の端とガイドレールとの間の間隔が狭くなり、遊技領域における球の飛び交う領域が少なくなる。また、カバーに複数の図柄視認部が設けられ、図柄視認部の裏側に図柄表示器が設けられた回転表示装置が知られている（例えば、特許文献２参照）。この回転表示装置のカバーが遊技盤にどのように取り付けられるかについては当該文献に記載されていないが、このカバーが遊技盤の前面に取り付けられる飾り部品であるとしたならば、図柄を大形化して飾り部品を大形化すると飾り部品により遊技領域の多くが占有され、遊技領域における球の飛び交う領域が少なくなる。すなわち、飾り部品の大形化により遊技領域における球の飛び交う領域が少なくなると、遊技領域を落下する球の飛び交う様を楽しむというパチンコ機本来の遊技性が損なわれてしまう。尚、カバーに複数の図柄視認部が設けられた従来の回転表示装置において、２つの図柄を表示させるためにカバーに２つの図柄視認部を設けた構成の場合は、図柄を大形化してカバーも大形化したとしても飾り部品による遊技領域の占領を少なくできるが、この場合、図柄合わせ遊技におけるいわゆるリーチ状態を演出できないものとなってしまう。また、カバーに４つ以上の図柄視認部を設けた構成の場合は、図柄を大形化してカバーも大形化すると飾り部品による遊技領域の占有面積は大きくなる。また、カバーに４つ以上の図柄視認部を設けた構成の場合において、図柄を大形化するとともに隣合う図柄視認部間を球の通過可能な間隔に設定すると、飾り部品の周りにおける球の飛び交う遊技領域がさらに少なくなる。
【特許文献１】特開平１１−１９２３４７号公報
【特許文献２】特開２００４−１５４４５２号公報
【発明の開示】
【発明が解決しようとする課題】
【０００３】
発明が解決しようとする問題点は、図柄を見やすくするために図柄を大形化すると遊技領域における球の飛び交う領域が少なくなるというように、図柄表示装置の図柄の大形化と遊技領域における球の飛び交う領域の確保との両立が難しいという点である。
【課題を解決するための手段】
【０００４】
本発明のパチンコ機は、遊技盤のガイドレールで囲まれた内側の遊技領域に飾り部品を備え、飾り部品が、遊技盤の前面に取付けられた取付基盤と、取付基盤に設けられた３個の図柄視認部とを備え、３個の図柄視認部が上下左右に互いに離れて形成され、図柄視認部が、取付基盤に形成された図柄視認孔と、図柄視認孔の周囲から遊技領域の前方に突出して図柄視認孔を個別に囲む隔壁とで形成され、図柄表示装置が、図柄視認孔の前方から図柄視認孔を通して図柄を視認可能なように図柄視認孔の後方に配置されたことを特徴とする。隣り合う図柄視認部の隔壁と隔壁との間の間隔が球の通過可能な間隔に設定されたことや、遊技領域の前方から見た場合において、３個の図柄視認部が、取付基盤の中央上方に設けられた中央上部の図柄視認部、取付基盤の左下方に設けられた左下部の図柄視認部、取付基盤の右下方に設けられた右下部の図柄視認部であり、それぞれの図柄視認部の図柄視認孔の中心がこれら中心同士を繋いで形成される三角形の頂点に位置されたことや、飾り部品が、左下部の図柄視認部と右下部の図柄視認部との間に球通路形成体を備え、球通路形成体の出口が遊技盤の前面に取り付けられた始動入賞部品の入口の真上に設けられたことや、球通路形成体が、取付基盤の前面に設けられた前通路形成体と取付基盤の裏面に設けられた裏通路形成体とで形成され、前通路形成体が、遊技領域と連接した球取込路と球取込路と連接した前上部球踊部と前上部球踊部と連接して取付基盤に形成された球取込孔とを備え、裏通路形成体が、球取込孔と連接した導入路と導入路と連接した裏下部球踊部と裏下部球踊部と球通路形成体の出口とを連接する誘導路とを備え、球取込路が左右の図柄視認部の隔壁の外面により形成され、前上部球踊部が球取込路を形成する左右の図柄視認部の隔壁の外面と連接して左右の図柄視認部の間に設けられたことや、図柄表示装置が、図柄支持体を有する球体とこの球体を自転及び公転させる回転駆動機構とを備えた遊技回転表示装置であることも特徴とする。
【発明の効果】
【０００５】
本発明のパチンコ機によれば、図柄の大形化による見やすさと遊技領域１５における球の飛び交う領域の確保とを両立できる。図柄の大形化した場合に、例えば、図柄視認部を横に３つ並べたり、図柄視認部を４つ以上設けたような飾り部品と比べて、飾り部品の大きさを小さくでき、遊技盤に飾り部品を取り付けた場合において遊技領域における球の飛び交う領域を多く確保できるようになる。隣り合う図柄視認部の隔壁と隔壁との間の間隔が球の通過可能な間隔に設定されたことで、飾り部品の取付基盤の前面領域も球の飛び交う領域とでき、球の飛び交う領域を増やせる。中央上部の図柄視認部の隔壁と左下部の図柄視認部の隔壁との間に形成された球取込路や中央上部の図柄視認部の隔壁と右下部の図柄視認部の隔壁との間に形成された球取込路を備えたことにより、遊技領域の球を飾り部品の左右側から飾り部品の中央側に取り込めるので、遊技領域の中央に球を集中させやすいパチンコ機を提供できる。飾り部品が、左下部の図柄視認部と右下部の図柄視認部との間に、球を始動入賞部品の入口の真上である出口まで導く球通路形成体を備えるので、始動入賞部品への入賞への期待を大きくできる。球通路形成体が、前通路形成体と裏通路形成体とで形成され、前通路形成体が前上部球踊部を有し、裏通路形成体が裏下部球踊部を有する構成としたので、遊技者は、取付基盤の前面に設けられた前上部球踊部上で踊る球の動きと、取付基盤の裏面に設けられた裏下部球踊部上で踊る球の動きとの両方を楽しむことができる。また、２つの球踊部上で踊る球の動きを遠近感の違いによる視覚効果で演出できる。遊技回転表示装置を備えるので、自転及び公転による図柄変動を遊技者に見せることができる。
【発明を実施するための最良の形態】
【０００６】
図１乃至図９は発明の最良の形態であって、図１はパチンコ機の飾り部品をパチンコ機の前方から見て示し、図２はパチンコ機をパチンコ機の前方から見て示し、図３は図２のＡ−Ａ断面を示し、図４は飾り部品の外観を示し、図５は図２のＡ−Ａ断面で示した飾り部品を分解して示し、図６は分解した飾り部品を飾り部品の前側から見て示し、図７は分解した飾り部品を飾り部品の裏側から見て示し、図８は飾り部品の裏側に配置される遊技回転表示装置の断面を示し、図９は遊技回転表示装置を分解して示し、図１０は球案内体及び遊技回転表示装置が取付けられた遊技盤を遊技盤の裏側から見て示す。
【０００７】
図２を参照し、パチンコ機１を説明する。パチンコ機１は、遊技機枠２と遊技機枠２に装着される遊技盤３とで構成される。遊技機枠２は、遊技店の島と呼ばれる図外の遊技機設置構造体に設置される。遊技機枠２は、固定枠４の前側に可動枠５を左側に位置するヒンジ６で前側の横方向に片開き可能に取り付け、可動枠５の前側に前面扉７および球皿構造体８を左側に位置するヒンジ９で前側の横方向に片開き可能に取付けた構造である。固定枠４は、遊技機設置構造体に取付けるための外枠と呼ばれ、前後方向に開放された縦長な長方形の空間を囲む額縁形状である。可動枠５は、前枠または中枠と呼ばれ、遊技主体としての遊技盤３を取り付けるものである。前面扉７は、前後方向に貫通する開口部１０を囲む額縁形状である。前面扉７の裏面には、ガラスまたは合成樹脂からなる光透過性を有するパネル１１が開口部１０を塞ぐ格好で取り付けられる。球皿構造体８の前面には、球皿１２と発射操作機構１３とが設けられる。球皿１２の裏側に対応する可動枠５の前面には、発射機構１４が設けられる。遊技盤３は開口部１０の裏側に位置するように可動枠５の図外の遊技盤収納部に取り付けられる。遊技盤３の前面１９には、球の飛び交う遊技領域１５を囲み形成するガイドレール１６が設けられる。遊技領域１５は、ガイドレール１６を構成する内ガイドレール１７と外ガイドレール１８と可動枠５に対して閉じられた前面扉７のパネル１１とにより区切られた遊技盤３の前面領域により形成される。遊技盤３の遊技領域１５には、飾り部品２０、障害釘や遊技釘と呼ばれる釘２１、風車２２、普通図柄表示装置２３、表示灯飾り２４、アウト口２５、始動入賞部品２６、可変入賞部品２７、一般入賞部品２８、作動部品２９が設けられる。飾り部品２０は、飾り部品２０の左右の中心を上下に縦断する中心線ａを基準として左右対称の形状に形成される。始動入賞部品２６、可変入賞部品２７、一般入賞部品２８は、遊技領域１５から遊技盤３の裏側に球Ｐ（遊技媒体であるいわゆるパチンコ球、以下符号Ｐを省略する）を取り込む球取込型である。作動部品２９は、遊技領域１５からの球を取り込んで遊技盤の裏側に導くことなく遊技領域１５に排出する球通過型である。外ガイドレール１８と内ガイドレール１７との間により発射通路３０が形成される。発射通路３０の出口には戻球防止弁３１が設けられる。戻球防止弁３１は、発射機構１４から発射通路３０を通過して戻球防止弁３１を押し開けて遊技領域１５に発射された球が遊技領域１５から発射通路３０に戻るのを防止する。飾り部品２０の裏側には、遊技回転表示装置３５が配置される。飾り部品２０は、飾り部品２０の左右の中心を上下に縦断する中心線ａを基準として左右対称の形状に形成される。
【０００８】
図４；図５を参照し、飾り部品２０の概要を説明する。飾り部品２０は、本体３６と前部材３７と裏部材３８とを備える。本体３６は、取付基盤４０と前構造体４２と裏構造体４４とを備える。前構造体４２は取付基盤４０の前面４１に形成される。裏構造体４４は取付基盤４０の裏面４３に形成される。取付基盤４０の周縁部には、当該取付基盤４０を遊技盤３の前面１９に取り付けるための止ねじ４５を取付基盤４０の前後に貫通させるための貫通孔４７が複数設けられる。
【０００９】
図３を参照し、遊技盤３への飾り部品２０の取り付け方について説明する。飾り部品２０は、裏構造体４４及び裏部材３８が遊技盤３に形成された逃げ孔４６に逃げ孔４６の前方から挿入され、取付基盤４０の裏面４３から遊技盤３の前面１９に接触し、止ねじ４５が、前側から貫通孔４７を経由して遊技盤３の前面１９に取り付けられる。取付基盤４０が、パチンコ機１の前方から逃げ孔４６を覆い隠す。
【００１０】
図１を参照し、遊技盤３に取付けられた飾り部品２０をパチンコ機１の前方から見て説明する。取付基盤４０には、取付基盤４０を前後に貫通する３つの図柄視認孔４８；４９；５０が形成される。３つの図柄視認孔４８〜５０は、上下左右に離れた位置に互いに個別に形成される。取付基盤４０の前面４１には、３つの筒状の隔壁５１；５２；５３を備える。３つの筒状の隔壁５１〜５３は、３つの図柄視認孔４８；４９；５０の周囲を個別に囲み、取付基盤４０の前面から前方に突出する。図柄視認孔と隔壁との対が図柄視認部を形成する。つまり、３つの図柄視認部５５；５６；５７を備える。飾り部品２０の取り付けられた遊技盤３を搭載したパチンコ機１をパチンコ機１の前方から人が見た場合において、３つの図柄視認部５５〜５７は、取付基盤４０の中央上方に設けられた中央上部の図柄視認部５５、取付基盤４０の左下方に設けられた左下部の図柄視認部５６、取付基盤４０の右下方に設けられた右下部の図柄視認部５７である。図柄視認部５５〜５７の図柄視認孔４８〜５０のそれぞれの中心４８ａ；４９ａ；５０ａを互いに繋ぐ直線が二等辺三角形５０Ａを形成する。つまり、図柄視認孔４８〜５０のそれぞれの中心４８ａ；４９ａ；５０ａが二等辺三角形５０Ａの頂点に位置される。
【００１１】
図６；７を参照し、飾り部品２０の構成を分解して説明する。図６を参照して、飾り部品２０の本体３６、前部材３７、裏部材３８の前面の構造を説明し、図７を参照して、飾り部品２０の本体３６、前部材３７、裏部材３８の裏面の構造を説明する。前構造体４２は、中央上部の図柄視認部５５の隔壁５１と、隔壁５１の上方において図２の中心線ａを基準として左右対称に設けられた左右の照明飾り３２；３２と、照明飾り３２；３２の上方に設けられた傘飾り３３と、左右の隔壁基体６０；６１と、中央隔壁基体６８と、始動入賞の保留数を示す表示の表示飾り部３４とを備える。光透過性を有するパネルで形成された表示飾り部３４は４つ設けられ、各表示飾り部３４の裏側にはそれぞれ保留ランプ３４ａが配置される。始動入賞の保留数とは、１つの球が始動入賞部品２６に入賞したことに伴う遊技回転表示装置３５による図柄変動の開始から当該始動入賞による外れの抽選結果に基いて図柄変動を終了するまでの一連の遊技中、または、１つの球が始動入賞部品２６に入賞したことに伴う図柄変動の開始から当該始動入賞による当たりの抽選結果に基いて当たり遊技が終了するまでの一連の遊技中において、当該始動入賞の球とは別の球による始動入賞の数のことである。始動入賞の保留数が保留メモリとして図外の制御装置のＲＡＭで保持される。制御装置は、記憶した保留数に対応した個数の保留ランプ３４ａを点灯する。遊技者は、保留ランプ３４ａの点灯を確認して現在保留されている始動入賞の個数を確認でき、現在の図柄変動の後に図柄変動が何回行われるかをその都度確認できる。
【００１２】
左下部の図柄視認部５６の隔壁５２は、左の隔壁基体６０と前部材３７とにより形成される。右下部の図柄視認部５７の隔壁５３は、右の隔壁基体６１と前部材３７とにより形成される。左の隔壁基体６０は、左の図柄視認孔４９の周囲より前方に突出する。右の隔壁基体６１は、右の図柄視認孔５０の周囲より前方に突出する。前部材３７は、左の隔壁基体６０の前面に取り付けられる左の取付構造体６２と、右の隔壁基体６１の前面に取り付けられる右の取付構造体６３と、左の取付構造体６２と右の取付構造体６３とを繋ぐ球通路構造体６４とを備える。
【００１３】
球通路構造体６４は、上部に第１ステージ形成体６５を備え、下部に球排出路形成体６６を備える。第１ステージ形成体６５の上面により前上部球踊部としての第１ステージ６７が形成される。第１ステージ６７は、左端が左の取付構造体６２の上面６２ａと連接し、右端が右の取付構造体６３の上面６３ａと連接する。
【００１４】
左の隔壁基体６０と右の隔壁基体６１との間に位置する取付基盤４０の前面４１には前方に突出する中央隔壁基体６８が設けられる。左右の隔壁基体６０；６１は、それぞれ図柄視認孔４９；５０の周囲を囲んで前方に突出する筒孔部７０；７１を備えるとともに筒孔部７０；７１の周囲にはそれぞれ複数の異形の嵌合孔部７２；７２・・・を備える。
【００１５】
前部材３７の裏面には、左の結合筒体７３と複数の結合体７４と右の結合筒体７６とを備える。左の結合筒体７３は左の隔壁基体６０の筒孔部７０の内径と同じ外径に形成される。結合筒体７３が筒孔部７０の内側に嵌まり込むことで結合筒体７３と筒孔部７０とが互いに結合される。右の結合筒体７６は右の隔壁基体６１の筒孔部７１の内径と同じ外径に形成される。結合筒体７６が筒孔部７１の内側に嵌まり込むことで結合筒体７６と筒孔部７１とが互いに結合される。複数の結合体７４は左右の隔壁基体６０；６１に対応して設けられた複数の嵌合孔部７２の内径と同じ外径に形成される。１つ１つの結合体７４がそれぞれ対応する１つ１つの嵌合孔部７２の内側に嵌まり込むことで結合体７４と嵌合孔部７２とが互いに結合される。前部材３７の左の取付構造体６２の裏面における周縁部の３箇所及び前部材３７の右の取付構造体６３の裏面における周縁部の３箇所には取付孔７５が設けられる。符号６９は止ねじであり、取付基盤４０には止ねじ６９を貫通させる貫通孔６９ａが形成される。止ねじ６９が貫通孔６９ａを経由して取付孔７５に締結されるので、貫通孔６９ａは取付基盤４０の前面４１に取り付けられる前部材３７の裏面に形成された取付孔７５と対応する位置に形成される。前部材３７の球通路構造体６４の裏面には、中央隔壁基体６８の挿入孔７７を備える。左右の隔壁基体６０；６１の左右の上端位置には、隔壁基体６０；６１の隔壁基体基盤６０ａと取付基盤４０とを前後に貫通する貫通孔６０ｂが設けられる。前部材３７と左右の隔壁基体６０；６１の取付基盤４０の前面４１への取付方法を説明する。例えば、まず、前部材３７の左右の取付構造体６２；６３の裏面に左右の隔壁基体６０；６１を取り付けておく。そして、隔壁基体６０；６１の取り付けられた前部材３７の挿入孔７７内に中央隔壁基体６８を入れた状態で前部材３７の裏面を取付基盤４０の前面４１に当てて、取付孔７５と貫通孔６９ａとを合致させる。そして、止ねじ６９が、取付基盤４０の裏側から貫通孔６９ａを経由して取付孔７５に締結されたり、取付基盤４０の裏側から貫通孔６９ａ及び隔壁基体基盤６０ａの貫通孔６０ｂを経由して取付孔７５に締結されることで、隔壁基体６０；６１の取り付けられた前部材３７が取付基盤４０の前面４１に取り付けられる。このように左右の隔壁基体６０；６１の前面に取り付けられた前部材３７の左右の取付構造体６２；６３により、左右の図柄視認孔４９；５０の周囲を個別に囲む左右の隔壁５２；５３（図１参照）が構成される。また、取付基盤４０の前面４１には、第１ステージ６７、球排出路形成体６６による球排出路７８が形成される（図１；４参照）。
【００１６】
図１に戻って、左図柄視認部５６の隔壁５２と上図柄視認部５５の隔壁５１との間の間隔（最短間隔）ｂ１及び右図柄視認部５７の隔壁５３と上図柄視認部５５の隔壁５１との間の間隔（最短間隔）ｂ２は、球１個の直径より大きく、球１個の直径の２倍より小さく形成される。間隔ｂ１；ｂ２は寸法が同じである。よって、隔壁５２と隔壁５１との間、隔壁５３と隔壁５１との間には、１個の球が通過可能であるが、２個の球が並列に同時に通過不能である。間隔ｂ１及び間隔ｂ２に設定された通路が遊技領域１５の左右側から飾り部品２０の中央側に球を取り込む球取込路３００；３０１を形成する。また、３つの隔壁５１；５２；５３の前面５１ｔと可動枠５に対して閉じられた前面扉７のパネル１１との間の間隔は、球１個の直径の長さより小さく、球の通過不能な間隔ｄに設定される（図２参照）。よって、遊技領域１５から上の隔壁５１と左の隔壁５２との間あるいは上の隔壁５１と右の隔壁５３との間を経由した球は第１ステージ６７まで流下する。第１ステージ６７の左右端と連接する左右の取付構造体６２；６３の上面６２ａ；６３ａが、左右の隔壁５２；５３の上面５２ａ；５３ａとなる。上面５２ａ；５３ａは、第１ステージ６７に対して左右の上方に位置し、遊技領域１５からの球を第１ステージ６７にガイドする傾斜面を形成する。
【００１７】
取付基盤４０において、第１ステージ６７の後方の位置には第１ステージ６７と連接する球取込孔８０が形成され、第１ステージ形成体６５の下方に位置する左右２箇所には球排出路形成体６６による球排出路７８と連接する２つの球排出孔８１；８１が、球排出路形成体６６の下方の位置には第２ステージ視認孔８２が形成される。
【００１８】
図７に示すように、取付基盤４０の裏面４３における第２ステージ視認孔８２の下端位置には、当該裏面４３より取付基盤４０の裏側に延長する第２ステージ形成体８３と、３つの図柄視認孔４８；４９；５０の周囲を個別に囲んで取付基盤４０の裏側に延長する３つの筒状の裏隔壁８４；８５；８６とを備える。第２ステージ形成体８３の上面により裏下部球踊部としての第２ステージ８７が構成される。第２ステージ８７は、第２ステージ視認孔８２の下辺に連接して取付基盤４０の裏側及び左右に延長する。第２ステージ８７と３つの筒状の裏隔壁８４；８５；８６とで囲まれた領域により裏部品収納部８８が形成される。第２ステージ形成体８３の左右の中心の下方には、第２ステージ８７の後端８７ａから取付基盤４０の前面４１まで延長する筒孔により形成された始動入賞誘導通路８９を備える。始動入賞誘導通路８９の左右に位置する取付基盤４０の裏面４３には始動入賞の保留メモリに記憶された保留数を表示するための複数の保留ランプ３４ａを搭載した表示基板９０が設けられる。保留ランプ３４ａによる照明表示は表示飾り部３４を経由してパチンコ機１の前方から視認できる。
【００１９】
図６に示すように、裏部材３８は、本体３６の裏構造体４４への取付基盤９１、左右の誘導樋９２；９２、誘導路形成体９３、始動入賞誘導樋９４を備える。左右の誘導樋９２；９２は、取付基盤９１の上前面９５の上方の左右に取付基盤９１の左右の中心を境として対称に個別に設けられたものである。誘導樋９２は、取付基盤９１の上前面９５に設けられ、前側から見てＵ字状の板材により形成され、上方及び前方が解放されたものである。誘導路形成体９３は、取付基盤９１の上前面９５において左右の誘導樋９２；９２の下方に設けられる。誘導路形成体９３は、取付基盤９１の上前面９５より前方に突出する上部頂上の山形の部品よりなる。山形の頂上部９６が左の誘導樋９２と右の誘導樋９２との間の中央の真下に位置される。始動入賞誘導樋９４は、誘導路形成体９３の頂上部９６の下方に位置する取付基盤９１の下前面９７（上前面９５より裏側に位置する面）から取付基盤９１の裏側に向けて窪む有底の凹部により形成される。この裏部材３８は、図７に示すように、本体３６の裏側に形成された裏部品収納部８８内に収納されて取付基盤４０の裏面４３から裏側に突出する取付支柱９８に止ねじ９９で取り付けられる。裏部品収納部８８を形成する上の裏隔壁８４の下部には、裏部材３８の位置決め用の位置決め切欠部１００が形成されており、裏部材３８の上部には位置決め切欠部１００に位置合わせするための位置決め片１０１が設けられる。従って、位置決め切欠部１００に位置決め片１０１を合わせ、裏部品収納部８８を縁部に設けられた５つの取付支柱９８の後端面に形成された５つの取付孔１０２と裏部材３８の取付基盤９１の４つの角部付近と真下に設けられた５つの貫通孔１０３とを一致させてから、止ねじ９９が貫通孔１０３を経由して取付孔１０２に締結されることで裏部材３８が本体３６の裏側の裏部品収納部８８に取り付けられる。これにより、図３に示すように、誘導樋９２の前面１０４ａと誘導路形成体９３の前面１０４ｂは、取付基盤４０の裏面４３と密着する。よって、第１ステージ６７と誘導樋９２；９２の上部側とが球取込孔８０を経由して連接され、誘導樋９２；９２の下部と球排出孔８１；８１とが連接される。また、第２ステージ８７と始動入賞誘導樋９４と始動入賞誘導通路８９とが連接される。従って、第１ステージ６７から球取込孔８０を経由して誘導樋９２；９２に入った球は球排出孔８１；８１及び前部材３８の球排出路７８；７８を経由して遊技領域１５に排出される。また、第１ステージ６７から球取込孔８０を経由して左右の誘導樋９２；９２の間に取り込まれた球は誘導路形成体９３の上面１０５に落下する。裏部品収納部８８内の左右には、誘導路形成体９３の上面１０５と対向し、かつ、第２ステージ８７に連接された左右対称の球誘導壁１０６；１０６（図７参照）が設けられる。従って、誘導路形成体９３の上面１０５に落下した球は、誘導路形成体９３の上面１０５と裏部材３８の取付基盤９１の上前面９５と球誘導壁１０６と取付基盤４０の裏面４３とで囲まれた球通路１０７（図３参照）を経由して第２ステージ８７に導かれる。第２ステージ８７に導かれた球が第２ステージ８７の中央において前側から裏側に下るように形成された誘導溝１０８内に入ると、誘導溝１０８を経由して裏部材３８の始動入誘導樋９４に入る。始動入誘導樋９４内に入った球は左右２つの球排出ガイド片１０９；１０９の上面を滑走して始動入賞誘導通路８９内に入り、始動入賞部品２６の入口（入賞口）の真上に位置する始動入賞誘導通路８９の出口１１０より遊技領域１５に排出される。
【００２０】
すなわち、図１；図３：図６に示すように、遊技領域１５の球を取り込んで出口１１０まで導く球通路形成体１１１が、前通路形成体１１２と裏通路形成体１１３とで形成される。図３に示すように、前通路形成体１１２が、球取込路３００；３０１と第１ステージ６７と球取込孔８０とからなる。裏通路形成体１１３が、球取込孔８０と連接した導入路３１０と導入路３１０と連接した第２ステージ８７と第２ステージ８７と出口１１０とを連接する誘導路３１１とからなる。導入路３１０は、左右の誘導樋９２と９２との間を経由して誘導路形成体９３の上面１０５に到達するまでの通路３１２と上述した球通路１０７とからなる。誘導路３１１は、誘導溝１０８と始動入誘導樋９４と始動入賞誘導通路８９とからなる。そして、図１に示すように、第１ステージ６７が、球取込路３００；３０１を形成する左右の図柄視認部５６；５７の隔壁５２；５３の外面としての上面５２ａ：５３ａと連接して左右の図柄視認部５６；５７の間に設けられた構成である。
【００２１】
図柄視認部５５の上方に設けられた左右の照明飾り３２；３２同士の間の間隔ｈ及び左右の照明飾り３２；３２のそれぞれと図柄視認部５５の隔壁５１との間の間隔ｒは、球１個の直径より大きく、球２個の直径より小さい間隔に設定される。従って、遊技領域１５からの球が左右の照明飾り３２；３２同士の間を経由して隔壁５１の外周面上に落下した場合は、球は、図柄視認部５５の隔壁５１の外周面に沿って落下し、第１ステージ６７上に流下する。間隔ｈ及び間隔ｒに設定された通路が遊技領域１５から飾り部品２０の中央側に球を取り込む球取込路３０２を形成する。左右の照明飾り３２；３２の裏側は空洞になっており、空洞内に図外の照明灯が設けられる。照明灯は照明基盤１１８の前面に取り付けられ、照明基盤１１８は本体３６の裏側に止ねじ１１９で取り付けられる（図７参照）。
【００２２】
本形態によれば、飾り部品２０の取付基盤４０に形成された３つの図柄視認部５５〜５７の図柄視認孔４８〜５０の中心４８ａ〜５０ａがこれら中心同士を繋いで形成される三角形５０Ａの頂点に位置される構成としたので、図柄表示装置３５の図柄の大形化による見やすさと遊技領域１５における球の飛び交う領域の確保とを両立できる。例えば、図柄視認部を横に３つ並べたり、図柄視認部を４つ以上設けたような飾り部品において、図柄の大形化に対応して図柄視認部を大きくした場合に比べて、飾り部品２０の大きさを小さくでき、遊技盤３に取り付けた場合において遊技領域１５における球の飛び交う領域を多く確保できる。さらに、図柄視認部５５の隔壁５１と図柄視認部５６；５７の隔壁５２；５３との間の間隔ｂ１；ｂ２を球の通過可能な間隔に設定した球取込路３００；３０１を備えるので、遊技盤３に取り付けられた飾り部品２０の取付基盤４０の前面領域も球の飛び交う領域とできることから、球の飛び交う領域を増やせる。遊技領域１５の球を、中央上部の図柄視認部５５の隔壁５１と左下部の図柄視認部５６の隔壁５２と間に形成された球取込路３００や中央上部の図柄視認部５５の隔壁５１と右下部の図柄視認部５７の隔壁５３と間に形成された球取込路３０１を経由させて、飾り部品２０の左右側から飾り部品２０の中央側に取り込めるので、遊技領域１５の中央に球を集中させやすいパチンコ機１を提供できる。これは、一般に遊技領域１５の中心のやや下方に設けられる始動入賞部品２６に球を集中させやすいこととなり、遊技者の関心の深い始動入賞部品２６への入賞への期待を大きくできる。飾り部品２０が、左下部の図柄視認部５５と右下部の図柄視認部５６との間に、球を始動入賞部品２６の入口としての入賞口の真上である出口１１０まで導く球通路形成体１１１を備えるので、始動入賞部品２６への入賞への期待を大きくできる。球通路形成体１１１が、前通路形成体１１２と裏通路形成体１１３とで形成され、前通路形成体１１２が第１ステージ６７を有し、裏通路形成体１１３が第２ステージ８７を有する構成としたので、遊技者は取付基盤４０の前面に設けられた第１ステージ６７上で踊る球の動きと、取付基盤４０の裏面に設けられた第２ステージ８７上で踊る球の動きとの両方を楽しむことができる。また、遊技者から見て２つのステージ６７；８７上で踊る球の動きを遠近感の違いによる視覚効果で演出できる。
【００２３】
図８；９を参照し、飾り部品２０の裏側に３個配置される遊技回転表示装置３５の構造について、中央上部の図柄視認部５５の裏側に配置される遊技回転表示装置３５を例にして説明する。遊技回転表示装置３５は、装置躯体１２０の前側に球体形状の回転表示構造体１２１を自転駆動機構１２２および公転駆動機構１２３で回転可能に支持し、自転駆動機構１２２及び公転駆動機構１２３で回転表示構造体１２１を矢印Ｗ１で示す方向に自転および矢印Ｗ２で示す方向に公転させ、回転表示構造体１２１の表面に設けられた図柄表示体１２４が有する複数の図柄を可変表示する構造である。複数の図柄は回転表示構造体１２１の矢印Ｗ１で示す自転する方向に離れて縦列に配置される。回転表示構造体１２１は、中空体である。自転駆動機構１２２および公転駆動機構１２３は、回転表示構造体１２１を回転する回転駆動機構を構成する。回転表示構造体１２１には、表示軸１２５が、回転表示構造体１２１の中心部を装置躯体１２０の表示体収納部１２６の底面１２７と平行な方向に貫通しかつ回転可能に嵌め込まれる。回転表示構造体１２１から外側に突出した表示軸１２５の一端部には、遊星歯車１２８の中心部が、回転可能に嵌め込まれる。遊星歯車１２８は、回転表示構造体１２１の表示軸１２５の周りにおける外側面に固定される。遊星歯車１２８よりも外側に突出した表示軸１２５の一端部および回転表示構造体１２１から外側に突出した表示軸１２５の他端部は、支持構造体１２９の相対峙する一対の支持部１３０；１３０に回転可能に嵌め込まれる。つまり、表示軸１２５の回転表示構造体１２１から外側に突出した両端部が支持構造体１２９の一対の支持部１３０；１３０で両支持される。支持構造体１２９における一対の支持部１３０；１３０から裏側に突出した皿部１３１は、前側から裏側に窪む半球形である。皿部１３１の内部には、太陽歯車１３２が、皿部１３１の底部の側に配置される。太陽歯車１３２の中心部から太陽歯車１３２の裏側に突出した太陽軸１３３は、皿部１３１の中心部に形成された支持軸１３４を皿部１３１の内部から裏側に貫通しかつ回転可能に嵌め込まれる。皿部１３１の内部には中間歯車１３５が配置され、中間歯車１３５の中心部から中間歯車１３５の裏側に突出した中間軸１３６は、皿部１３１の周壁を皿部１３１の内部から裏側に貫通しかつ回転可能に嵌め込まれて皿部１３１のすり鉢状の周壁１３７に取り付けられる。遊星歯車１２８、太陽歯車１３２、中間歯車１３５は、傘歯車により構成される。中間歯車１３５の外周部に形成された歯部は、太陽歯車１３２の外周部に形成された歯部および遊星歯車１２８の外周部に形成された歯部に噛み合わされる。つまり、太陽歯車１３２が回転することによって、中間歯車１３５および遊星歯車１２８が回転し、回転表示構造体１２１が表示軸１２５を中心として表示軸１２５の矢印Ｗ１で示す周方向に自転する。また、支持部１３０の支持軸１３４が矢印Ｗ２で示す周方向に回転することによって、回転表示構造体１２１が支持部１３０の支持軸１３４を中心として表示体収納部１２６の底面１２７と平行な方向に公転する。
【００２４】
表示灯構造体１４０は、環状の回路基板１４１の前面に、複数のＬＥＤからなる表示灯１４２を回路基板１４１の周方向に離れて実装した構造である。表示灯１４２が回転表示構造体１２１の方向に向けられ、回路基板１４１の裏面が装置躯体１２０の表示体収納部１２６の底面１２７における前面に固定的に取り付けられる。表示灯構造体１４０が表示体収納部１２６に取り付けられた後、回転表示構造体１２１を支持した支持構造体１２９の支持軸１３４が装置躯体１２０の前側から軸受孔部１４３に挿入されることによって、回転表示構造体１２１が装置躯体１２０の前側に回転可能に配置される。
【００２５】
装置躯体１２０の前側と取付筐体１４５の裏側とが嵌合及び図外の止ねじで互いに取り付けられることで回転表示構造体１２１を収納する収納筐体１４６が構成される。取付筐体１４５の前部には回転表示構造体１２１の球面に合わせて前側に膨出する球面形状に形成された透過保護パネル部１４７を備える。収納筐体１４６を取付筐体１４５側から遊技盤３に取付けられた飾り部品２０の裏隔壁８４の内側に挿入し、取付筐体１４５の前側の周囲に形成された規制面１４９を飾り部品２０の裏隔壁８４の後端面１４８に突き当てて、透過保護パネル部１４７の前側を図柄視認孔４８の裏側から図柄視認孔４８の前側に突出させる。取付筐体１４５の後側の周囲には、収納筐体１４６をセット板と呼ばれるような球案内体１５０に取付けるための取付板１５１が設けられる。よって、透過保護パネル部１４７の前側を図柄視認孔４８の裏側から図柄視認孔４８の前側に突出させた状態において、取付板１５１に形成された図外の貫通孔に止ねじ１５２を通し、止ねじ１５２を球案内体１５０に形成された図外の取付孔に締結する。これにより、収納筐体１４６が球案内体１５０に取付けられる。
【００２６】
収納筐体１４６の透過保護パネル部１４７の部分を除いた内面、表示灯構造体１４０における回路基板１４１の前面には、光反射層１５３が、白色塗料または金属メッキによって設けられる。また、透過保護パネル部１４７、遊星歯車１２８、太陽歯車１３２、中間歯車１３５、支持構造体１２９が、光を透過する性質の有る合成樹脂により構成されている。このため、表示灯１４２から前側に照射された光、および、当該光の光反射層１５３で反射された反射光が、遊星歯車１２８、太陽歯車１３２、中間歯車１３５、支持構造体１２９を透過して回転表示構造体１２１の外周面に設けられた図柄表示体１２４を間接的に照明することによって、遊技者は、図柄表示体１２４の図柄をパチンコ機１の前側から透過保護パネル部１４７及び図柄視認部５５を通して全体的に明るくかつ鮮明に見ることができる。
【００２７】
自転駆動機構１２２の構造、公転駆動機構１２３の構造について説明する。自転駆動機構１２２は、自転モータ１５５および自転ベルト機構１５６を備える。自転モータ１５５は、ステップモータにより構成され、自転モータ１５５の出力軸を構成する自転モータ軸１５７が装置躯体１２０から裏側に向けれ、自転モータ１５５のモータケースが装置躯体１２０の裏側から自転モータ収納室１５８に収納されて装置躯体１２０に固定的に取り付けられる。自転ベルト機構１５６は、自転駆動プーリ１５９と自転従動プーリ１６０および自転ベルト１６１からなる。自転駆動プーリ１５９は、歯部が自転駆動プーリ１５９の外周面に当該外周面の周方向に連続して形成された、歯付きプーリにより構成される。自転駆動プーリ１５９の中心部が、自転モータ軸１５７に嵌め込まれて固定的に取り付けられる。自転従動プーリ１６０は、歯部が自転従動プーリ１６０の外周面に当該外周面の周方向に連続して形成された、歯付きプーリにより構成される。自転従動プーリ１６０の直径は、自転駆動プーリ１５９の直径よりも大きい。自転従動プーリ１６０の中心部が、装置躯体１２０から裏側に突出した太陽軸１３３に嵌め込まれて固定的に取り付けられる。自転ベルト１６１は、合成樹脂を布のような芯材に含浸させた帯状の無端形状の可撓性を有し、歯部が自転ベルト１６１の環状の内周面に当該内周面の周方向に連続して形成された、タイミングベルトと呼ばれる歯付きベルトにより構成される。自転ベルト１６１の内周面に形成された歯部が自転駆動プーリ１５９の外周面に形成された歯部と自転従動プーリ１６０の外周面に形成された歯部とに噛み合わされる。そして、自転モータ軸１５７が回転駆動することによって、自転駆動プーリ１５９、自転ベルト１６１、自転従動プーリ１６０、太陽軸１３３、太陽歯車１３２、中間歯車１３５、遊星歯車１２８が回転し、回転表示構造体１２１が図の矢印Ｗ１で示す方向に自転する。自転駆動機構１２２は、自転モータ１５５、自転駆動プーリ１５９、自転従動プーリ１６０、自転ベルト１６１、太陽軸１３３、太陽歯車１３２、中間歯車１３５、遊星歯車１２８により構成される。中心線Ｌ１は、表示軸６の軸心を示し、矢印Ｗ１で示す方向に自転の回転中心である。
【００２８】
公転駆動機構１２３は、公転モータ１６５および公転ベルト機構１６６を備える。公転モータ１６５は、ステップモータにより構成され、公転モータ１６５の出力軸を構成する公転モータ軸１６７が装置躯体１２０から裏側に向けれ、公転モータ１６５のモータケースが装置躯体１２０から裏側から公転モータ収納室１６８に収納されて装置躯体１２０に固定的に取り付けられる。公転ベルト機構１６６は、公転駆動プーリ１６９と公転従動プーリ１７０および公転ベルト１７１からなる。公転駆動プーリ１６９は、歯部が公転駆動プーリ１６９の外周面に当該外周面の周方向に連続して形成された、歯付きプーリにより構成される。公転駆動プーリ１６９の中心部が、公転モータ軸１６７に嵌め込まれて固定的に取り付けられる。公転従動プーリ１７０は、歯部が公転従動プーリ１７０の外周面に当該外周面の周方向に連続して形成された、歯付きプーリにより構成される。公転従動プーリ１７０の直径は、公転駆動プーリ１６９の直径よりも大きい。公転従動プーリ１７０の中心部が、装置躯体１２０から裏側に突出した支持構造体１２９の支持軸１３４に嵌め込まれて固定的に取り付けられる。公転ベルト１７１は、合成樹脂を布のような芯材に含浸させた帯状の無端形状の可撓性を有し、歯部が公転ベルト１７１の環状の内周面に当該内周面の周方向に連続して形成された、タイミングベルトと呼ばれる歯付きベルトにより構成される。公転ベルト１７１の内周面に形成された歯部が公転駆動プーリ１６９の外周面に形成された歯部と公転従動プーリ１７０の外周面に形成された歯部とに噛み合わされる。そして、公転モータ軸１６７が回転駆動することによって、公転駆動プーリ１６９、公転ベルト１７１、公転従動プーリ１７０、支持構造体１２９が回転し、回転表示構造体１２１が図の矢印Ｗ２で示す方向に公転する。公転駆動機構１２３は、公転モータ１６５、公転駆動プーリ１６９、公転従動プーリ１７０、公転ベルト１７１、支持構造体１２９により構成される。自転ベルト機構１５６および公転ベルト機構１６６は、回転駆動機構の動力を回転表示構造体１２１に伝達する機構としてのベルト機構を構成する。中心線Ｌ２は、支持軸１３４の軸心を示し、矢印Ｗ２で示す方向に公転の回転中心である。尚、左下部の図柄視認部５６や右下部の図柄視認部５７の裏側に配置される遊技回転表示装置３５についても、図８の裏隔壁８４を裏隔壁８５；８６に置き換えることで容易に理解できるであろう。３つの遊技回転表示装置３５により副特別図柄表示装置が構成される。
【００２９】
図１０を参照し、球案内体１５０に取り付けられた遊技回転表示装置３５を裏側から見た構造及び自転ベルト機構１５６および公転ベルト機構１６６の詳細な構造について説明する。遊技盤３の裏面３ａには球案内体１５０が取付けられる。球案内体１５０は、取付板１７５と球案内部１７６と装置躯体取付面１７７とを備える。球案内体１５０は、止ねじ１７８を取付板１７５に形成された図外の貫通孔に通して遊技盤の裏面に締結することで遊技盤３の裏面３ａに取付けられる。遊技回転表示装置３５の取付板１５１は上述したように止ねじ１５２により装置躯体取付面１７７に取り付けられる。装置躯体１２０は止ねじ１２０ａにより取付板１５１に取り付けられる。モータの取付基板１７９は止ねじ１７２により装置躯体１２０に取付けられる。装置躯体取付面１７７には、中継基板１８０が取り付けられる。中継基板１８０には図外の複数のコネクタが設けられ、図外の電源装置からの電力入力線がコネクタを介して接続され、電力受給側の基板に、コネクタ、電力出力線、コネクタを介して電力を供給する。球案内体１５０の中央には電力受給基板１８１が設けられる。電力受給基板１８１には図外の複数のコネクタが設けられ、中継基板１８０からの電力をコネクタを介して入力し、コネクタ、出力配線、電気部品の電力入力端子を介して遊技回転表示装置３５の駆動源、照明飾り３２の内部の照明灯３２ａ、保留数を表示するための保留ランプ３４ａなどの電気部品に駆動電力を供給する。１８２は遊技盤３と球案内体１５０との両方に形成された始動入賞部品２６の逃げ孔である。この逃げ孔１８２内には、始動入賞部品２６の図外の樋部材、球検出器、開閉体２６ａの駆動源などの裏部品が収納される。１８３は遊技盤３に形成された可変入賞部品２７の逃げ孔である。この逃げ孔１８３内には、可変入賞部品２７の図外の樋部材、球検出器、開閉体２７ａの駆動源などの裏部品が収納される。主特別図柄表示部２３Ａは、遊技盤３の前面１９に取り付けられた光透過パネル２３ａとこの光透過パネル２３ａの裏側に設けられた図外の主特別図柄表示装置とで構成され、主特別図柄表示装置は遊技盤３に設けられた逃げ孔１８４を経由して遊技盤３の裏側に設けられ、表示制御基板１８５に実装される。表示制御基板１８５の図外のコネクタには中継基板１８０からの配線が接続されて主特別図柄表示装置に表示駆動用の電力が供給される。普通図柄表示部２３Ｂは、遊技盤３の前面１９に取り付けられた光透過パネル２３ｂとこの光透過パネル２３ｂの裏側に設けられた図外の普通図柄表示装置とで構成され（図２参照）、普通図柄表示装置は遊技盤３に設けられた逃げ孔１８６を経由して遊技盤３の裏側に設けられ、表示制御基板１８７に実装される。表示制御基板１８７の図外のコネクタには中継基板１８０からの配線が接続されて普通図柄表示装置に表示駆動用の電力が供給される。１８８は遊技盤３を遊技機枠２に設けられた図外の遊技盤収納部に取付けるための取付孔である。
【００３０】
自転ベルト機構１５６は、自転テンション機構１９０を備える。自転テンション機構１９０は、自転テンションばね１９１、自転テンションプレート１９２、自転テンションローラ１９３、自転テンション止ねじ１９４を備える。自転テンションばね１９１は、コイルスプリングにより構成される。自転テンションプレート１９２は、中央部に自転テンションローラ軸１９５が突出して固定的に設けられ、両端部に長穴１９６；１９７が形成される。自転テンションローラ１９３は、自転テンションローラ軸１９５に回転可能に嵌め込まれる。
【００３１】
公転ベルト機構１６６は、公転テンション機構２００を備える。公転テンション機構２００は、公転テンションばね２０１、公転テンションプレート２０２、公転テンションローラ２０３、公転テンション止ねじ２０４を備える。公転テンションばね２０１は、コイルスプリングにより構成される。公転テンションプレート２０２は、中央部に公転テンションローラ軸２０５が突出して固定的に設けられ、両端部に長穴２０６；２０７が形成される。公転テンションローラ２０３は、公転テンションローラ軸２０５に回転可能に嵌め込まれる。
【００３２】
自転従動プーリ１６０には自転位置検体２１０が一体に設けられる。自転位置検体２１０は、自転従動プーリ１６０における自転ベルト１６１を掛ける部分を区画する周縁部から径方向の外側に突出した円板状であって、図外の自転位置検出器に対する１個のスリットを有するとともに、図外の自転原点位置検出器に対する複数のスリットを周方向に等分配置に有する。公転従動プーリ１７０には公転位置検体２１１が一体に設けられる。公転位置検体２１１は、公転従動プーリ１７０における公転ベルト１７１を掛ける部分を区画する周縁部から径方向の外側に突出した円板状であって、図外の公転位置検出器に対する１個のスリットを有するとともに、図外の公転原点位置検出器に対する複数のスリットを周方向に等分配置に有する。自転位置検出器、自転原点位置検出器、公転位置検出器、公転原点位置検出器が装置躯体１２０の裏面に取り付けられる。自転位置検出器、自転原点位置検出器、公転位置検出器、公転原点位置検出器は、発光素子からの検出光を受光素子で受け取る、光透過非接触形の検出器により構成される。
【００３３】
この遊技回転表示装置３５によれば、自転駆動機構１２２及び公転駆動機構１２３による回転駆動機構を備えるので、自転及び公転による図柄変動を遊技者に見せることができる。また、自転駆動機構１２２における自転モータ１５５の動力を回転表示構造体１２１に伝達する機構が自転ベルト機構１５６により構成されているので、回転表示構造体１２１の回転始動時、回転表示構造体１２１の回転停止時、自転モータ１５５の正逆転切替時に、回転表示構造体１２１が振動することなく適切に回転することができるという利点がある。公転駆動機構１２３における公転モータ１６５の動力を回転表示構造体１２１に伝達する機構が公転ベルト機構１６６により構成されているので、回転表示構造体１２１の回転始動時、回転表示構造体１２１の回転停止時、公転モータ１６５の正逆転切替時に、回転表示構造体１２１が振動することなく適切に回転することができるという利点がある。自転ベルト１６１が、合成樹脂を布のような心材に含浸させた帯状の無端形状の可撓性を有する構造であるので、自転ベルト１６１の耐久性が高いという利点がある。公転ベルト１７１が、合成樹脂を布のような心材に含浸させた帯状の無端形状の可撓性を有する構造であるので、公転ベルト１７１の耐久性が高いという利点がある。自転ベルト１６１が歯付きベルトにより構成され、自転駆動プーリ１５９および自転従動プーリ１６０が歯付きプーリにより構成されているので、自転ベルト機構１５６における動力伝達が適切に行われるという利点がある。公転ベルト１７１が歯付きベルトにより構成され、公転駆動プーリ１６９および公転従動プーリ１７０が歯付きプーリにより構成されているので、公転ベルト機構１６６における動力伝達が適切に行われるという利点がある。
【００３４】
制御装置が図外の電源スイッチのオン動作に伴う電力供給で起動し、球が球皿１２に入っている状態において、遊技者が球発射操作機構１３を操作すると、球が球皿１２から発射機構１４に供給され、当該発射機構１４により球が１個ずつ遊技領域１５に向けて発射される。遊技領域１５に入った球が、球取込路３００；３０１；３０２（図１参照）のいずれかを経由して飾り部品２０の内側に取り込まれて第１ステージ６７に到達した場合、当該球は取付基盤４０に形成された球取込孔８０を経由して飾り部品２０の裏側に進み、裏部材３８の左右の誘導樋９２；９２か左右の誘導樋９２；９２の間のいずれかに落下する。左右の誘導樋９２；９２のうちのいずれかに落下した球は取付基盤４０に形成された球排出孔８１；８１のうちのいずれかを経由して前部材３７の左右の球排出路７８のうちのいずれかに進み、前部材３８の下端の左右に形成された球排出路７８；７８の球排出口７８ａ；７８ａのうちのいずれかから遊技領域１５に排出される。一方、第１ステージ６７から球取込孔８０を経由して左右の誘導樋９２；９２の間に取り込まれた球は、誘導路形成体９３の上面１０５に落下し、球通路１０７を経由して取付基盤４０の裏に形成された第２ステージ８７に進む。球が、第２ステージ８７において誘導溝１０８を経由して裏部材３８の始動入誘導樋９４に入ったならば、当該球は、本体３６の始動入賞誘導通路８９内に進み、始動入賞部品２６の入口の真上に位置する始動入賞誘導通路８９の出口１１０より遊技領域１５に排出されるので、始動入賞部品２６に入賞する可能性が多くなる。尚、球が、第２ステージ８７において誘導溝１０８内に入らず、第２ステージ８７と連接する第２ステージ視認孔８２の下端の両側を経由して遊技領域１５に落下する場合もある。球が、始動入賞部品２６に始動入賞すると、制御装置が始動入賞検出信号を受けて当たり外れ抽選を行うとともに主特別図柄表示部２３Ａの主特別図柄表示装置による表示を変動させかつ副特別図柄表示装置として機能する３つの遊技回転表示装置３５の回転駆動機構を制御して回転表示構造体１２１を自転、公転させることによって回転表示構造体１２１の図柄を変動させる。当たり外れ抽選の結果が当たり結果であれば、制御装置は、当たり結果に基いて、例えば、遊技者に３つの図柄視認部５５〜５７を通して遊技者に見せる３つの副特別図柄として同じ当たり図柄が表示されるよう３つの遊技回転表示装置３５の回転表示構造体１２１を停止制御するとともに主特別図柄表示部２３Ａに表示させる主特別図柄として当たり図柄を停止表示させる。制御装置は、主特別図柄の当たり図柄での停止完了信号を受けた場合に当たり遊技を実行する。すなわち、制御装置が、可変入賞部品２７の開閉体２７ａの図外の開閉駆動源を制御し、開閉体２７ａを所定回数または所定時間開閉する当たり遊技と呼ばれる一連の遊技が行われる。尚、遊技領域１５に発射された球が作動部品２９の作動孔２９ａ（図２参照）を通過すると、この通過検出信号を制御装置が入力して、制御装置が、普通図柄抽選を行うとともに普通図柄表示部２３Ｂの普通図柄表示装置による図柄を変動させる。制御装置は、抽選結果が当たりであれば、その当たり結果に基づいて普通図柄表示部２３Ｂに表示する図柄を停止表示し、始動入賞部品２６のチューリップと呼ばれるような開閉体２６ａを所定回数開閉する。
【産業上の利用可能性】
【００３５】
３つの図柄視認部５５〜５７の図柄視認孔４８〜５０のそれぞれの中心４８ａ〜５０ａが正三角形５０の頂点に位置されるようにしてもよい。３つの図柄視認部を、取付基盤４０の中央下方に設けられた中央下部の図柄視認部、取付基盤４０の左上方に設けられた左上部の図柄視認部、取付基盤４０の右上方に設けられた右上部の図柄視認部とし、それぞれの図柄視認部の図柄視認孔の中心がこれら中心同士を繋いで形成される逆三角形の頂点に位置されるように構成することによっても、遊技回転表示装置３５の図柄の大形化による見やすさと遊技領域１５における球の飛び交う領域の確保とを両立できる。遊技回転表示装置３５の図柄表示構造体１２１は、真球体、半球体のような球体を用いても良い。図柄表示構造体１２１の回転駆動機構はギヤ機構により構成しても良い。
【図面の簡単な説明】
【００３６】
【図１】飾り部品をパチンコ機の前方から見た拡大図（最良の形態）。
【図２】パチンコ機をパチンコ機の前方から見た図（最良の形態）。
【図３】図２のＡ−Ａ断面図（最良の形態）。
【図４】飾り部品の斜視図（最良の形態）。
【図５】分解した飾り部品の断面図（最良の形態）。
【図６】分解した飾り部品を前側から見た斜視図（最良の形態）。
【図７】分解した飾り部品を裏側から見た斜視図（最良の形態）。
【図８】飾り部品の裏側に配置された遊技回転表示装置の断面図（最良の形態）。
【図９】遊技回転表示装置を分解した斜視図（最良の形態）。
【図１０】遊技盤の裏面図（最良の形態）。
【符号の説明】
【００３７】
３  遊技盤、１５  遊技領域、１６  ガイドレール、２０  飾り部品、
２６  始動入賞部品、３５  遊技回転表示装置（図柄表示装置）、４０  取付基盤
４８〜５０  図柄視認孔、５１〜５３  隔壁、５５〜５７  図柄視認部
６７  第１ステージ（前上部球踊部）、８７  第２ステージ（裏下部球踊部）
１１１  球通路形成体、１１２  前通路形成体、１１３  裏通路形成体 
１２１  回転表示構造体、１２２  自転駆動機構（回転駆動機構）
１２３  公転駆動機構（回転駆動機構）、１２４  図柄表示体
３００；３０１  球取込路、３１０  導入路、３１１  誘導路。
【図１】
2006296904.tif 000003
【図２】
2006296904.tif 000004
【図３】
2006296904.tif 000005
【図４】
2006296904.tif 000006
【図５】
2006296904.tif 000007
【図６】
2006296904.tif 000008
【図７】
2006296904.tif 000009
【図８】
2006296904.tif 000010
【図９】
2006296904.tif 000011
【図１０】
2006296904.tif 000012